(57)【特許請求の範囲】
【請求項１】
日射可能領域に設けられた移動可能な座部と、
前記座部の着座面と反対側において任意の位置で固定可能に設けられ、日射光をフィールドの芝生面へ反射させる凸面反射板と、
を有する座席。
【請求項２】
前記凸面反射板は、前記座部の前記着座面の反対側に任意の位置で固定可能とされたアタッチメントに設けられている、請求項１に記載の座席。
【請求項３】
前記アタッチメントは前記座部から着脱可能とされている、請求項２に記載の座席。
【発明の詳細な説明】
【技術分野】
【０００１】
本発明は、座席に関する。
【背景技術】
【０００２】
下記特許文献１には、屋根庇の前端に反射板を設置してフィールド面の芝へ自然光を照射する芝育成装置が開示されている。この芝育成装置は、反射板を取付けるブラケットやブラケットを動かすギヤなどの機構を備えている。
【先行技術文献】
【特許文献】
【０００３】
【特許文献１】特開平８−２７７６４４号公報
【発明の概要】
【発明が解決しようとする課題】
【０００４】
上記特許文献１に開示された芝育成装置をフィールド面の芝育成に使用する場合、広範囲を照射するために、多数設置しなければならない。このため、設置場所を確保するのが困難だったり、設置工数が多く必要となったり、装置の製造コストが嵩むなどの問題が生じる。
【０００５】
本発明は、上記事実を考慮し、競技場などにおいて日射光を利用するための専用設備を設けずに、通常設けられる観客席の座席を用いて、日射光を有効に利用することを目的とする。
【課題を解決するための手段】
【０００６】
請求項１に係る座席は、日射可能領域に設けられた移動可能な座部と、前記座部の着座面と反対側において任意の位置で固定可能に設けられ、日射光をフィールドの芝生面へ反射させる凸面反射板と、を有する。
【０００７】
請求項１の座席によると、座席の不使用時に座部を移動させると、座部の着座面の反対側に設けられた機能性部材に日射光を当てることができる。この機能性部材に日射光が当ると、機能性部材は日射光を利用した機能を発揮する。
【０００８】
例えば、機能性部材が太陽光パネルの場合、光を電気エネルギーに変換して座席の不使用時に発電する。また、例えば、機能性部材が反射板の場合、反射板で反射した日射光をフィールドの芝生面に反射させることで、芝生が育成される。
【０００９】
このように、日射光を利用するための専用設備を設けずに、競技場などにおいて通常設けられる観客席の座席を用いて、日射光を有効利用することができる。
【００１０】
また、前記機能性部材は、前記日射光をフィールドの芝生面へ反射させる凸面反射板である。
【００１１】
機能性部材を凸面反射板とすることで、反射した光が拡散して広範囲に芝生面が照射される。
請求項２に係る座席は、請求項１に記載の座席において、前記凸面反射板は、前記座部の前記着座面の反対側に任意の位置で固定可能とされたアタッチメントに設けられている。
【００１２】
請求項３に係る座席は、請求項２に記載の座席において、前記アタッチメントは前記座部から着脱可能とされている。
【００１３】
請求項３に係る座席によると、必要に応じて異なる機能を持った機能性部材に付け替えることができる。例えば普段は凸面反射板を用いた拡散光によって広範囲の芝生面を照射し、芝の育成状態が悪い場所がある場合は、平面反射板に付け替えて反射光を拡散させずピンポイントに照射する。これにより芝の育成状態に柔軟に対応することができる。
【発明の効果】
【００１４】
以上説明したように、本発明の座席によると、競技場などにおいて日射光を利用するための専用設備を設けずに、通常設けられる観客席の座席を用いて、日射光を有効に利用することができる。
【図面の簡単な説明】
【００１５】
【図１】本発明の第１実施形態に係る座席が適用される競技場を示す断面図である。
【図２】（Ａ）は本発明の第１実施形態に係る座席使用時の状態を示す側面図であり、（Ｂ）は正面図である。
【図３】（Ａ）は本発明の第１実施形態に係る座席不使用時の状態を示す側面図であり、（Ｂ）は正面図である。
【図４】（Ａ）は本発明の第１実施形態に係る座席の反射板使用時の状態を示す側面図であり、（Ｂ）は正面図である。
【図５】本発明の第１実施形態に係る座席の跳ね上げ機構を示す分解斜視図である。
【図６】（Ａ）は本発明の第２実施形態に係る座席の反射板使用時の状態を示す側面図であり、（Ｂ）は正面図である。
【発明を実施するための形態】
【００１６】
［第１実施形態］
以下、図面を参照しながら、本発明の第１実施形態に係る座席２０について説明する。
【００１７】
（競技場）
図１に示すように、座席２０は、競技場１０における観客席部分、すなわち段床１２に据え付けられる固定椅子である。
【００１８】
なお、第１形態における競技場１０は、オリンピック等のビッグイベント時に使用される大規模なスタジアム施設である。第１実施形態では、座席２０を競技場１０へ適用する場合について説明するが、座席２０は競技場１０だけではなく、太陽光を受照することができる場所（日射可能領域）であれば、屋内外を問わず各種の場所に適用可能である。
【００１９】
競技場１０は、芝１４が植えつけられた芝生面を備えたフィールド１６と、フィールド１６を取り囲む段床１２と、段床１２の上部を覆う屋根１８と、を含んで構成されている。
【００２０】
芝１４は、育成に光を必要とする植物（所謂天然芝）であるが、フィールド１６の一部には、人工芝を用いた場所があってもよい。
【００２１】
段床１２は、フィールド１６を取り囲むようにすり鉢状に形成された構造物であり、段床１２に座席２０が据え付けられて階段状の観客席を構成する。
【００２２】
屋根１８の中央部分には、開口部１８Ａが形成され、開口部１８Ａを通して競技場１０の内部に日射が入り込む。なお、「開口部」とは、光が通過可能な構成を全て含む概念であり、例えば日射を競技場１０の内部に通すものであれば透光性の膜材等で覆われていてもよい。
【００２３】
（座席）
図２（Ｂ）に示すように、座席２０は、段床１２の上にフィールド１６に沿って一列に複数配置されている。また、図２（Ａ）に示すように、座席２０は、段床１２の一段毎に配置されている。
【００２４】
座席２０は、座部２２と、背部２４と、一対の脚部２６と、アタッチメント２８と、ベースフレーム３０と、を含んで構成されている。
【００２５】
ベースフレーム３０は、クランク状に屈曲した強度部材であり、屈曲した部分には、座部２２に向かって突出する軸部３２が設けられている。軸部３２には、矩形状の座部２２の幅方向の側面が支持されており、ベースフレーム３０の間に位置する座部２２が軸部３２を中心として上下方向に回動可能となっている。
【００２６】
ベースフレーム３０の下部からは脚部２６が下方へ延出している。この脚部２６は、段床１２に図示しないボルトで固定されている。
【００２７】
また、ベースフレーム３０の上部には、背部２４が取付けられている。この背部２４は、座部２２に着座する観客の背中の形状に合わせて凸状に上下に湾曲している。
【００２８】
さらに、図２（Ｃ）に示すように、ベースフレーム３０の軸部３２には、パネル状のアタッチメント２８の端部から面外方向へ突設されたフランジ２８Ａに形成された軸孔２８Ｂが係合している。アタッチメント２８は、座部２２の着座面２２Ａの反対側に設けられている。アタッチメント２８を軸部３２から垂れ下げたとき、フランジ２８Ａの長さだけ、アタッチメント２８は脚部２６より後ろに位置する。これにより、着座した観客が足を座部２２の下に曲げ入れても、アタッチメント２８が当たらないようになっている。
アタッチメント２８の表面には、窪み部２８Ｃが形成されており、機能性部材の一例としての反射板４０が窪み部２８Ｃに嵌めこまれている。
【００２９】
なお、隣り合う座席２０のベースフレーム３０は連結部材３４で固定され、横一列となった座席２０を互いに補強しているが、本発明の実施形態はこれに限られない。たとえば、連結部材を、横一列となった複数の座席２０のベースフレーム３０を貫通するような串刺し状に形成してもよい。このとき、該連結部材から段床１２に固定するための脚部を延出することで、座席２０毎に設けていた脚部２６を省略することができる。この場合、反射板４０が連結部材と干渉しないように、連結部材のフィールド１６側にアタッチメント２８が位置するようにする。
【００３０】
（反射板）
アタッチメント２８の表面に形成された窪み部２８Ｃには、機能性部材の一例として、日射光を反射可能な反射板４０が嵌め込まれている。反射板４０は反射面４０Ａが凸状に湾曲したステンレス板であり、反射面４０Ａが鏡面加工されている。本実施形態においては、鏡面加工として研磨加工を施しているが、冷間圧延や、光輝熱処理、メッキ処理などを施してもよい。また、反射板４０の素材としてはステンレスのほか、アルミや銅板などの各種金属板のほか、ガラスの表面に金属を蒸着させた鏡や、木下地に高反射率のシート材を貼り付けたものなどを適宜適用可能である。
【００３１】
なお、競技場１０の全ての座席を反射板４０及びアタッチメント２８を備えた座席２０とする必要はなく、例えば日射量の少ない南側の座席（北面に対向する座席）等にはアタッチメント２８を取付けなくてもよい。さらに、アタッチメント２８は座席２０から着脱可能な構成としてもよい。
【００３２】
（跳ね上げ機構）
図５に示すように、ベースフレーム３０の軸部３２と、座部２２との連結部分には、跳ね上げ機構５０が設けられている。跳ね上げ機構５０を配置するために、座部２２の角部は切り欠かれており、切欠面２２Ｃには軸穴２２Ｄが形成されている。切欠面２２Ｃには、底面に軸穴２２Ｄと軸線が一致する貫通孔２３Ａが形成されたボックス２３が固定されている。
【００３３】
この貫通孔２３Ａ及び軸穴２２Ｄには、ベースフレーム３０から突設された軸部３２の先端部に形成された小軸部３２Ａが挿入されている。これにより、座部２２は軸部３２に対して上下方向に回動可能となる。
【００３４】
また、小軸部３２Ａには、捩じりばね５４が外挿されている。捩じりばね５４の一端部５４Ａは、ボックス２３の底面に形成された係止部２３Ｂに係止され、他端部５４Ｂは軸部３２の端面に形成された係止部３２Ｂに係止されている。なお、座部２２、ボックス２３、捩じりばね５４、軸部３２が組み立てられた状態では、ボックス２３によって捩じりばね５４は囲繞され視認されなくなる。
【００３５】
これにより、座部２２を着座位置に倒したとき、捩じりばね５４には、図６に示す時計回りの方向Ｍにばね力が蓄積される。このため、観客が座部２２から離れると、捩じりばね５４のばね力で座部２２が起立位置に跳ね上げられる。
【００３６】
すなわち、座席２０は、この跳ね上げ機構５０によって、着座するときは手動で座部２２を倒す必要があるが、離席するときは捩じりばね５４のばね力で座部２２が起立位置に戻るので、手動で戻す必要がない。
【００３７】
なお、本実施形態においては跳ね上げ機構５０として捩じりばね５４を用いているが、オイルダンパーやガスダンパー等を用いて座部２２を跳ね上げる機構を構成してもよい。また、跳ね上げ機構自体を設けずに、座部２２を起立位置、着座位置いずれの位置とする際にも手動で動かす構成としてもよい。
【００３８】
（座席使用時）
図２は、競技場１０が使用されている時、観客が着座するなどして座部２２が倒され、着座位置が保持された状態を示している。このとき、アタッチメント２８は垂れ下がっており、反射板４０の反射面４０Ａがフィールド１６の反対側（段床１２の蹴上げ部分１２Ａ側）を向いている。
【００３９】
（座席不使用時）
図３は、競技場１０が使用されている時の空席の座席２０を示している。座部２２は、上述した捩じりばね５４のばね力によって起立位置となっており、アタッチメント２８は、座席２０使用時と同様に、反射板４０の反射面４０Ａがフィールド１６の反対側を向いている。
【００４０】
（反射板使用時）
図４は、競技場１０が使用されていない間に、反射板４０を使用している状態を示している。垂れ下がったアタッチメント２８を、脚部２６の間を通して引き上げ、座部２２の裏面に当てる。座部２２の裏面２２Ｂには、アタッチメント２８の角部が納まる凹部２２Ｃが形成されている。これにより、反射板４０の反射面４０Ａがフィールド１６側を向く。アタッチメント２８には跳ね上げ機構５０は設けられておらず手動で動かす必要があるが、反射板４０の反射面４０Ａがフィールド１６側を向く位置で、座部２２の裏面２２Ｂに倒れ掛かると共に、軸孔２８Ｂと軸部３２との摩擦力により自立する。
【００４１】
なお、本実施形態においては、アタッチメント２８が軸部３２との摩擦力により自立するものとしたが、本発明の実施形態はこれに限られない。例えば、軸部３２との摩擦を少なくし、固定手段としてアタッチメント２８と座部２２の裏面２２Ｂとの間に磁石やラッチ機構等を設けてもよい。このとき、アタッチメント２８が自重によって急激に動くことを抑制する場合は、軸部３２にロータリーダンパー等を用いてトルクを調整してもよい。      
【００４２】
また、アタッチメント２８は手動で動かすものとしたが、本発明の実施形態はこれに限られない。例えば、電気信号を用いたモーター等の駆動装置によって動かすものとしてもよい。このようにすれば、座部２２を手動で跳ね上げる手間を削減することができる。
【００４３】
（作用及び効果）
第１実施形態の座席２０によると、図４に示されるように、反射面４０Ａがフィールド１６側を向いた状態で日射光を受けると、反射面４０Ａは日射光を反射する。なお、本発明における日射光とは、直達日射光と散乱日射光の双方を含む概念であり、反射板４０は反射面４０Ａが凸状に湾曲しているので、図４に破線で示したように、平行光である直達日射光は拡散して反射する（角度Ｒ１）。また、方向性のない散乱日射光も、拡散して反射する（角度Ｒ２）。なお、角度Ｒ１は反射板４０の両端部から反射するそれぞれの反射光の進行方向のなす角度である。また、角度Ｒ２は、反射板４０の両端部のそれぞれの接線のなす角度である。
【００４４】
すなわち、反射板４０によって日射光が反射されるので、図１に破線で示すように、フィールド１６を反射光で照射することができる。さらに、反射光は拡散光となるため、フィールド１６の広い面を照射することができる。このため、芝１４の育成が促進される。また、一日を通して直達日射光が届かない終日日影部、一年を通して直達日射光が届かない永久日影部にも反射光を照射することができるため、芝の育成が困難な場所でも芝を育成することができる。したがって、芝育成のために電気を用いて人工光を照射する必要性が少なくなるので、環境負荷を低減することができる。
この効果は、南中高度が低く、日射光が屋根１８に遮られてフィールド１６を照射できない時間が長くなる冬季においては、特に顕著である。
【００４５】
また、第１実施形態の座席２０によると、座部２２とアタッチメント２８とが別体とされ、着席時、空席時に関わらず、反射板４０は、使用する時以外はフィールド１６側を向かないので、競技中の選手や、対向面の観客が座席２０を視認してもまぶしさを感じることが抑制される。
【００４６】
また、競技場１０には段床１２が設けられており、座席２０は段床１２の一段毎に一列ずつ配置されているため、反射板４０が日射光を受照しやすく、かつ反射光が通過しやすい。つまり、座席２０が平坦な場所に複数列配列されている場合と比較して、日射光及び反射光は前列の座席２０の背部２４に遮られにくい。
【００４７】
また、第１実施形態の座席２０を用いることで、日射光を反射させるための専用設備を設けずに日射光を利用することができるため、場所を取らないうえ、設備投資が少なくて済む。
【００４８】
［第２実施形態］
以下、図６を参照しながら、本発明の第２実施形態に係る座席６０について説明する。なお、第１実施形態と同様の構成については同様の符号を付して適宜説明を省略する。
【００４９】
（座席）
図６に示すように、第２実施形態の座席６０は、第１実施形態のアタッチメント２８を備えておらず、座部６２の裏面に、反射面８０が形成されている。
背部６４、脚部６６、ベースフレーム７０、軸部７２の構成は、それぞれ第１実施形態の背部２４、脚部２６、ベースフレーム３０、軸部３２と同様である。
【００５０】
（座部）
座部６２の裏面６２Ｂは、凸状に湾曲して形成され、反射面８０を構成するために塗料が塗られている。塗料は、同じ明度の一般塗料と比較して日射光の反射率が高い高反射塗料とされているが、第１実施形態の反射板４０と比較して反射率は低い。なお、本実施形態においては塗料として高反射塗料を用いているが、これを明度の高い（例えば白色）の一般塗料としてもよい。あるいは、座部６２を構成する樹脂を明度の高い色にしたり、アルミフレーク等の粉末を樹脂に練り込むなどして日射光の反射率を高めてもよい。このように、第２実施形態では、座部の裏面自体を反射面とすることもできる。
【００５１】
なお、座席６０は第１実施形態の座席２０と同様に、跳ね上げ機構５０を備えているが、これを省略し、手動で座部６０を上げ下げする構造にしてもよい。
【００５２】
（作用及び効果）
第２実施形態の座席６０によると、第１実施形態の座席２０と比較して、アタッチメント２８を備えていないので、製造が容易である。また、座部６２が起立位置にあるときは、日射光がフィールド１６に照射されるので、手動でアタッチメント２８を操作する手間が削減される。
【００５３】
また、第２実施形態の高反射塗料は第１実施形態の反射板４０と比較して反射率は低いため、競技中の選手や、対向面の観客が視認してもまぶしさを感じることが抑制される。
【００５４】
また、例えば塗料として蓄光塗料を用いることで、昼間の日射で蓄光させ、夜間のイベント時に発光させることができる。このように、電力を用いない足元灯として機能させることもできる。
【００５５】
［変形例］
次に、上記実施形態の変形例について説明する。
【００５６】
第１実施形態において反射板４０は反射面４０Ａが凸状に湾曲するように配置されていたが、本発明の実施形態はこれに限られない。例えば、反射板をプレス成型によってエンボス加工することにより、反射板自体を凹凸のある形状とすることで、日射光を乱反射させてもよい。このようにしても反射光は拡散するほか、反射板の強度を大きくすることができる。
【００５７】
また、反射板４０は、例えば凸状に湾曲したり、エンボス加工されていない平滑な平板状とされていてもよい。このようにすれば、反射光の拡散が抑制されるので、反射光による照射面積を小さくして、反射光による照射部分の照度を高くすることができる。これにより、特定の部分の芝１４を集中して育成することができる。
【００５８】
また、競技場１０には、凸状に湾曲する反射板４０を備えた座席２０と、平板状の反射板を備えた座席とを併用して適用してもよい。このようにすれば、芝１４の育成にムラがある状態を是正することができる。
【００５９】
また、第１実施形態において、アタッチメント２８は座部２２の裏面に当てて固定するものとしたが本発明の実施形態はこれに限られない。例えば、軸部３２にラチェット機構を用いて任意の位置で固定できるものとしてもよい。アタッチメント２８を任意の位置で固定することにより、季節ごとに異なる太陽高度や太陽の軌跡に応じて、反射光の向きを調整することが可能となる。
【００６０】
また、第１、第２実施形態において、反射面４０Ａ、反射面８０に反射された反射光によってフィールド１６の芝１４を照射するものとしたが、本発明の実施形態はこれに限られない。例えば、反射面４０Ａ、反射面８０に反射された反射光を、さらに屋根１８の内側、すなわち天井面に反射させ（二次反射）、該二次反射光によって芝１４を照射するものとしてもよい。二次反射光を用いることで、日射利用効率をさらに高めることができる。
【００６１】
また、第１実施形態における機能性部材は反射板４０としていたが、本発明の実施形態はこれに限られない。例えば太陽光パネルとしてもよい。この場合、アタッチメント２８に太陽光パネルを取付け、該太陽光パネルと蓄電コンデンサ、明るさセンサ、ＬＥＤ照明を電気的に接続させることで、夜間常夜灯（足元灯）として機能させることができる。このように、機能性部材を太陽光パネルとすれば、災害時に広域避難施設とされる競技場１０などにおける電力補助として特に有効である。なお、太陽光パネルは、第２実施形態における座部６２の裏面６２Ｂに取付ければ、第２実施形態においても適用可能である。
【００６２】
なお、太陽光パネルに接続される機器をＬＥＤ照明に代えてヒーターとすることで、冬場に足元を暖めることができる。あるいは、機能性部材を太陽光パネルではなく蓄熱体として、日射熱を直接吸収、蓄熱、放熱することによっても、同様の効果が得られる。
【００６３】
また、第１実施形態ではアタッチメント２８を座席２０から着脱可能に構成してもよいものとしたが、この場合、反射板４０に代えて、上述したようなエンボス加工された反射板、平板状の反射板、太陽光パネルを取付けたアタッチメントと交換することができる。あるいは、アタッチメント２８を座席２０から着脱可能としなくても、反射板４０をアタッチメント２８から着脱可能なものとしてもよい。このように、必要に応じて種々の機能を座席２０に与えることができる。
【００６４】
このように、本発明はこうした上記の実施形態及び各種の変形例を適宜組み合わせて用いても良いし、本発明の要旨を逸脱しない範囲において、種々なる態様で実施し得ることは勿論である。
【符号の説明】
【００６５】
１４          芝
１６          フィールド
２０、６０    座席
２２、６２    座部
４０          反射板（機能性部材、凸面反射板）
８０          反射面（機能性部材）
【図１】
0006649046.tif 000002
【図２】
0006649046.tif 000003
【図３】
0006649046.tif 000004
【図４】
0006649046.tif 000005
【図５】
0006649046.tif 000006
【図６】
0006649046.tif 000007